(57)【要約】【課題】　本発明は、携帯電話機とＩＰ電話機の双方の利便性を向上させることができる携帯電話用アダプタ及び電話装置を提供する。【解決手段】　アダプタ１０は、携帯電話機１の外部接続端子に装着されると、インターネット３に接続可能か判断し、接続可能であれば通話相手のＩＰＮｏ．がインターネット３に接続されているか確認し、通話相手のＩＰＮｏ．がインターネット３に接続されていれば、インターネット３を介して当該ＩＰＮｏ．でコールし、そうでなければ携帯電話機からのコールを行う携帯電話用アダプタ及び電話装置である。【選択図】　　　　図１
2004135324.tif 000002
【特許請求の範囲】
【請求項１】
　インターネットプロトコル番号を保有し、
　装着されると、携帯電話機の入力部からのデータが取り込み可能となり、有線又は無線にてインターネットに接続し、
　通話相手のインターネットプロトコル番号がインターネットに接続されているか確認を行い、
　通話相手のインターネットプロトコル番号がインターネットに接続されていると、当該インターネットプロトコル番号で発呼し、
　通話相手のインターネットプロトコル番号がインターネットに接続されていなければ、携帯電話機からの発呼を可能とすることを特徴とする携帯電話用アダプタ。
【請求項２】
　入力されたインターネットプロトコル番号と氏名を対応付けて記憶し、
　通話相手のインターネットプロトコル番号がインターネットに接続していない場合に、装着された携帯電話機に、当該携帯電話機のアドレス帳から当該氏名に対応する携帯電話機の番号を検索し、当該携帯電話機の番号に発呼させるよう制御することを特徴とする請求項１記載の携帯電話用アダプタ。
【請求項３】
　インターネットに接続した状態であっても、携帯電話機の番号への着呼があると、携帯電話機の着信及び通話の機能を実行させるよう制御することを特徴とする請求項１又は請求項２記載の携帯電話用アダプタ。
【請求項４】
　有線でインターネットに接続する場合は、パーソナルコンピュータのＵＳＢポートにケーブルにて接続し、当該パーソナルコンピュータが接続するインターネットにアクセスすることを特徴とする請求項１、請求項２又は請求項３記載の携帯電話用アダプタ。
【請求項５】
　無線でパーソナルコンピュータに接続し、当該パーソナルコンピュータが接続するインターネットにアクセスすることを特徴とする請求項１、請求項２又は請求項３記載の携帯電話用アダプタ。
【請求項６】
　無線でインターネットに接続する場合は、無線ＬＡＮ接続用の通信装置を備えることを特徴とする請求項１、請求項２又は請求項３記載の携帯電話用アダプタ。
【請求項７】
　インターネットに接続しようとしたものの、インターネット接続ができない場合は、携帯電話機の着呼又は発呼の機能を実行させるよう制御することを特徴とする請求項４、請求項５又は請求項６記載の携帯電話用アダプタ。
【請求項８】
　アドレス帳には通信相手の携帯電話機の番号とインターネットプロトコル番号を記憶し、
　有線又は無線にてインターネットに接続した状態とし、
　通信相手の名前が選択されると、当該相手先のインターネットプロトコル番号がインターネットに接続されているか確認し、
　通話相手のインターネットプロトコル番号がインターネットに接続されていると、当該インターネットプロトコル番号で発呼し、
　通話相手のインターネットプロトコル番号がインターネットに接続されていなければ、携帯電話機の番号で発呼することを特徴とする電話装置。
【請求項９】
　インターネットに接続した状態であっても、携帯電話機の番号への着呼があると、携帯電話機の着信及び通話の機能を実行することを特徴とする請求項８記載の電話装置。
【請求項１０】
　有線でインターネットに接続する場合は、パーソナルコンピュータのＵＳＢポートにケーブルにて接続し、当該パーソナルコンピュータが接続するインターネットにアクセスすることを特徴とする請求項８又は請求項９記載の電話装置。
【請求項１１】
　無線でパーソナルコンピュータに接続し、当該パーソナルコンピュータが接続するインターネットにアクセスすることを特徴とする請求項８又は請求項９記載の電話装置。
【請求項１２】
　無線でインターネットに接続する場合は、無線ＬＡＮ接続用の通信装置を備えることを特徴とする請求項８又は請求項９記載の電話装置。
【請求項１３】
　インターネットに接続しようとしたものの、インターネット接続ができない場合は、携帯電話機の着呼又は発呼の機能を実行することを特徴とする請求項１０、請求項１１又は請求項１２記載の電話装置。
【発明の詳細な説明】
【技術分野】
【０００１】
　本発明は、携帯電話機をＩＰ電話機にするためのアダプタ及び電話装置に係り、特に、インターネットを利用したＩＰ電話機としての利便性を向上させた携帯電話用アダプタ及び電話装置に関する。
【背景技術】
【０００２】
　現在、ＩＰ（Internet Protocol）を利用したＩＰ電話の電話サービスが注目を集めている。インターネットを介してパーソナルコンピュータ（ＰＣ）から通話できるインターネット電話は従来から提供されているが、独自のＩＰネットワークを利用した電話サービスも登場しつつある。これら両者をＩＰ電話と呼んでいる。
【０００３】
　ＩＰ電話は、ネットワークの一部又は全部でＩＰネットワーク技術を用いて実現された音声電話サービスであり、インターネットをネットワークの一部として使用してコストダウンを図るもの、独自の通話サービス用ＩＰネットワークを構築し、応答遅延を少なくし、音声品質を向上させるものがある。
　尚、ネットワークの一部にインターネットを利用するＩＰ電話サービスを「インターネット電話」と呼ぶことがある。
【０００４】
　尚、携帯電話機をＩＰ網に接続する従来技術は、平成１４年（２００２年）３月１５日公開の特開２００２−７７２６８「携帯電話ＩＰ接続システム」（出願人：株式会社日立製作所、発明者：谷川桂子他）がある。
　上記発明は、携帯電話に無線ＬＡＮインターフェースを設け、ＩＰネットワークに接続するというもので、通話目的ではなく、高速データ通信を目的としている。
【０００５】
【特許文献１】特開２００２−７７２６８号公報　（第３頁−第６頁）
【発明の開示】
【発明が解決しようとする課題】
【０００６】
　しかしながら、上記従来の携帯電話機をＩＰネットワークに接続するシステムでは、携帯電話機の利便性とＩＰ電話機の利便性の双方を上手く利用することができないという問題点があった。
【０００７】
　本発明は上記実情に鑑みて為されたもので、携帯電話機とＩＰ電話機の双方の利便性を向上させることができる携帯電話用アダプタ及び電話装置を提供することを目的とする。
【課題を解決するための手段】
【０００８】
　本発明は、携帯電話機アダプタにおいて、インターネットプロトコル番号を保有し、装着されると、携帯電話機の入力部からのデータが取り込み可能となり、有線又は無線にてインターネットに接続し、通話相手のインターネットプロトコル番号がインターネットに接続されているか確認を行い、通話相手のインターネットプロトコル番号がインターネットに接続されていると、当該インターネットプロトコル番号で発呼し、通話相手のインターネットプロトコル番号がインターネットに接続されていなければ、携帯電話機からの発呼を可能とするものであり、携帯電話機とＩＰ電話の双方の利便性を確保できる。
【０００９】
　本発明は、電話装置において、アドレス帳には通信相手の携帯電話機の番号とインターネットプロトコル番号を記憶し、有線又は無線にてインターネットに接続した状態とし、通信相手の名前を選択すると、当該相手先のインターネットプロトコル番号がインターネットに接続されているか確認し、通話相手のインターネットプロトコル番号がインターネットに接続されていると、当該インターネットプロトコル番号で発呼し、通話相手のインターネットプロトコル番号がインターネットに接続されていなければ、携帯電話機の番号で発呼するものであり、携帯電話機の機能とＩＰ電話の機能の双方について利便性を向上できる。
【発明の効果】
【００１０】
　本発明によれば、インターネットプロトコル番号を保有し、装着されると、携帯電話機の入力部からのデータが取り込み可能となり、有線又は無線にてインターネットに接続し、通話相手のインターネットプロトコル番号がインターネットに接続されているか確認を行い、通話相手のインターネットプロトコル番号がインターネットに接続されていると、当該インターネットプロトコル番号で発呼し、通話相手のインターネットプロトコル番号がインターネットに接続されていなければ、携帯電話機からの発呼を可能とする携帯電話機アダプタとしているので、携帯電話機とＩＰ電話の双方の利便性を確保できる効果がある。
【００１１】
　本発明によれば、アドレス帳には通信相手の携帯電話機の番号とインターネットプロトコル番号を記憶し、有線又は無線にてインターネットに接続した状態とし、通信相手の名前を選択すると、当該相手先のインターネットプロトコル番号がインターネットに接続されているか確認し、通話相手のインターネットプロトコル番号がインターネットに接続されていると、当該インターネットプロトコル番号で発呼し、通話相手のインターネットプロトコル番号がインターネットに接続されていなければ、携帯電話機の番号で発呼する電話装置としているので、携帯電話機の機能とＩＰ電話の機能の双方について利便性を向上できる効果がある。
【発明を実施するための最良の形態】
【００１２】
　本発明の実施の形態について図面を参照しながら説明する。
　本発明の実施の形態に係る携帯電話用アダプタは、携帯電話機に装着されると、インターネットに接続可能か判断し、接続可能であれば通話相手のＩＰ番号がインターネットに接続されているか確認し、通話相手のＩＰ番号がインターネットに接続されていれば、インターネットを介して当該ＩＰ番号でコールし、そうでなければ携帯電話機からのコールを行うものであり、これにより、通話相手の電話機がＩＰ電話としてインターネットに接続されている状態ではそのＩＰ番号でコールし、通話相手の電話機が携帯電話機等の電話機の状態では携帯電話機からのコールを行うことができ、携帯電話機とＩＰ電話機の双方の利便性を確保できるものである。
【００１３】
　また、本発明の実施の形態に係る電話装置は、インターネットに接続可能か判断し、接続可能であれば通話相手のＩＰ番号がインターネットに接続されているか確認し、通話相手のＩＰ番号がインターネットに接続されていれば、インターネットを介して当該ＩＰ番号でコールし、そうでなければ携帯電話機の機能でコールを行うものであり、これにより、通話相手の電話機がＩＰ電話としてインターネットに接続されている状態ではそのＩＰ番号でコールし、通話相手の電話機が携帯電話機等の電話機の状態では携帯電話機の機能でコールを行うことができ、携帯電話機の機能とＩＰ電話機の機能の双方の利便性を確保できるものである。
　尚、本発明の説明では、従来からの移動体通話システムとして、携帯電話システムを例に説明するが、携帯電話システムの代わりにＰＨＳ（Personal Handyphone System）システム等を用いても良い。
【００１４】
　本発明の実施の形態に係る携帯電話用アダプタを用いたシステム構成について図１を参照しながら説明する。図１は、本発明の実施の形態に係る携帯電話用アダプタを用いたシステムの構成ブロック図である。
　本発明の実施の形態に係る携帯電話用アダプタを用いたシステム（第１のシステム）は、図１に示すように、携帯電話機１と、ＩＰ用基地局２と、インターネット３と、サーバ４と、ＩＰ電話機５と、携帯用基地局６と、公衆回線７と、電話機８と、アダプタ１０とを有している。
【００１５】
　第１のシステムにおける各部を具体的に説明する。
　携帯電話機１は、携帯用基地局６を介して公衆回線７に接続して着呼及び発呼を行い、一般的な携帯電話機の通話を実現するものである。尚、通話を実現できる移動体であれば、携帯電話機に限定せず、ＰＨＳや携帯情報端末（Personal Digital Assistants:ＰＤＡ）等を用いても構わない。
　また、携帯電話機１は、後述するように、ユーザ登録を携帯電話機１から行うためにはインターネット３にアクセスしてサーバ４に接続できる機能を備えていることが望ましい。
　また、携帯電話機１は、サーバ４から送信されたＩＰＮｏ．（ＩＰ番号）を受信して内部の記憶部に記憶する。
　また、携帯電話機１は、アダプタが接続可能なインターフェース部を備えており、インターフェース部に外部装置であるアダプタが装着されると、アダプタの装着を検知して、装着されたアダプタに対応する制御を行う機能を有している。尚、インターフェース部分は、充電に使う差込口部分等に設けられている。
【００１６】
　そして、携帯電話機１は、本発明の特徴部分である後述するアダプタ１０が装着されると、アダプタ１０内の制御部に制御を移行してプログラムを起動し、アダプタ１０からの指示信号によって記憶部に記憶したＩＰＮｏ．をアダプタ１０に出力する。
　尚、アダプタ１０が装着されると、装着を検知して、アダプタ１０内のプログラムにアクセス可能となり、携帯電話機１のキー操作で、アダプタ１０内の制御部に制御を移行し当該プログラムを起動するようにしてもよい。
　但し、アダプタ１０の制御部がインターネット若しくはＩＰネットに接続中であっても、携帯電話機１への着呼があるとアダプタ１０に対して割り込みをかけ、着信処理を優先するようプログラム化されている。
【００１７】
　また、携帯電話機１は、アダプタ１０からの通信相手の氏名データを受けてアドレス帳に記憶した当該氏名データに対応する電話番号（携帯電話機の番号、ＰＨＳの番号、一般電話機の番号）に通常の携帯電話の機能で発呼する。
　そして、携帯電話機１は、通常の携帯電話の機能での通話が終了すると、再びアダプタアンテナ１０に制御を移す。
　携帯電話機１の構成例や動作の詳細については、後述する。
【００１８】
　ＩＰ用基地局２は、一般的なＩＰ通信用の無線基地局であり、アダプタ１０に内蔵した無線ＬＡＮの通信装置との送受信を行い、アダプタ１０をインターネット３に接続させ、携帯電話機１をＩＰ電話として利用可能とする。
　尚、ＩＰ用基地局２の例としては、近年ホテルや喫茶店など公衆のエリアで移動端末（主に携帯パソコン等）を無線ＬＡＮ接続してインターネットアクセスを可能にするために設置されている無線ＬＡＮアクセスポイント等であるとか、家庭やＳＯＨＯ等でインターネットへのアクセス拠点として使われている無線ＬＡＮアダプタ装置等がある。
【００１９】
　インターネット３は、アダプタ１０とＩＰ電話機５とを接続させる通信網である。ここで、インターネット３の代わりにＩＰ専用の通信網であってもよい。ＩＰ専用の通信網であるなら、ＩＰＮｏ．だけで相手がＩＰネットに接続中であるか否かを確認できることになる。
【００２０】
　サーバ４は、ＩＰ電話システムにおけるユーザを管理するサーバであり、携帯電話機１がユーザ登録を行う際にサーバ４にアクセスし、サーバ４におけるユーザ登録が完了するとサーバ４が携帯電話機１に対してＩＰＮｏ．を配信する。
　また、サーバ４は、ＩＰＮｏ．の配信だけでなく、携帯電話機１をＩＰ電話として利用するためのプログラムも配信してもよい。配信するプログラムとしては、携帯電話機１内で動作するプログラムとアダプタ１０内で動作するプログラムが考えられる。
　尚、これらプログラムをアダプタ１０内に記憶しておき、アダプタ１０が携帯電話機１に装着した状態で、携帯電話機１用のプログラムはアダプタ１０から携帯電話機１に複写されて動作し、アダプタ１０用のプログラムはアダプタ１０内で動作するものであってもよい。
【００２１】
　ＩＰ電話機５は、インターネット３又は専用のＩＰネットに接続するもので、ＩＰＮｏ．とそれに対応するＩＰアドレスが設定されている。尚、専用のＩＰネットの場合は、設定されているのはＩＰＮｏ．だけということもある。
　ＩＰ電話機５は、他のＩＰ電話機と通話可能であり、アダプタ１０が取り付けられた携帯電話機１とも、アダプタ１０、ＩＰ用基地局２、インターネット３を介して通信可能となるものである。
【００２２】
　携帯用基地局６は、携帯電話機１と公衆回線７とを接続する基地局で、通常の携帯電話機の通話に用いられる基地局である。
　公衆回線７は、携帯電話機１と通信を行う携帯用基地局６及び電話機８、更にインターネット３に接続している。
　電話機８は、公衆回線７に接続する一般の電話機である。
【００２３】
　アダプタ１０は、携帯電話機１に装着することにより、携帯電話機１から電源供給を受けて動作する。又は、アダプタ１０内にバッテリ等の電源を備えるようにしても良い。
　そして、アダプタ１０は、その内部に個体の識別子となる機器識別子を保持し、更に自己に割り当てられたＩＰ電話のためのＩＰＮｏ．（ＩＰ番号）を保持し、無線ＬＡＮに接続するための無線ＬＡＮの通信装置（無線ＬＡＮ装置）を備え、ＩＰ用基地局２を介してインターネット３に接続し、通話相手がインターネットにアクセスしているか否かを確認する。
　また、アダプタ１０は、携帯電話機１の入力部からの入力を受け付け、携帯電話機１の表示部に必要なデータの表示を行う。
【００２４】
　また、アダプタ１０は、ＩＰ電話の通話を実現するに当たり、自己に割り当てられたＩＰ番号でＩＰ用基地局２及びインターネット３を介して相手先のＩＰ番号への発呼又は着呼を行い（ＩＰコール）、通話が開始されると、携帯電話機１の音声入出力部における音声入出力に対してアナログ音声信号とデジタル音声データとの音声変換を行い、ＩＰパケットを作成してＩＰ用基地局２との送受信を行うＩＰ通信を行うものである。
　尚、アダプタ１０の具体的構成や詳細については後述する。
【００２５】
　また、アダプタ１０を用いた別のシステムについて図２を参照しながら説明する。図２は、本発明の実施の形態に係る携帯電話用アダプタを用いた別のシステムの構成ブロック図である。
　本発明の実施の形態に係る携帯電話用アダプタを用いた別のシステム（第２のシステム）は、図２に示すように、携帯電話機１と、インターネット３と、サーバ４と、ＩＰ電話機５と、携帯用基地局６と、公衆回線７と、電話機８と、パーソナルコンピュータ（ＰＣ）９と、アダプタ１０とを有している。
【００２６】
　第２のシステムが第１のシステムと相違する部分は、アダプタ１０がケーブルでＰＣ９に接続され、ＰＣ９が有線にてインターネット３に接続されている点である。
　そして、第１のシステムが、アダプタ１０の無線ＬＡＮ装置によってインターネット３に接続するものであるが、第２のシステムは、アダプタ１０がＰＣ９を経由してインターネット３に接続するものである。
　よって、ここで用いるＰＣ９は、インターネット３に接続する機能を備えていることが必須条件となる。
【００２７】
　ここで、ケーブルは、アダプタ１０のＰＣ用インターフェース部とＰＣ９のＵＳＢ（Universal Serial Bus）ポートを接続する。
　アダプタ１０は、ＰＣ９を介してインターネット３に接続し、通話相手のＩＰＮｏ．に対応するＩＰアドレスがインターネット３に接続されている状態であるか否かを確認する。そして、通話相手がインターネット３に接続中であれば、相手方のＩＰＮｏ．をコールして通話を行う。
【００２８】
　アダプタ１０とＰＣ９の役割分担の一例としては、ＰＣ９がインターネット接続機能を備えていて、アダプタ１０からＩＰＮｏ．を読みとってＰＣ９がＩＰ電話のＩＰコール及び通話時のＩＰ通信を行う場合には、アダプタ１０は、単に音声信号の入出力インターフェースとして働き、携帯電話機１の音声入出力部で入出力されるアナログ音声信号とデジタル音声データとの音声変換を行い、デジタル音声データをＰＣ９に入出力する機能を有している。いうなれば、固定電話によるＩＰ電話システムにおける電話機部分をアダプタ１０及び携帯電話機１で実現するケースである。
【００２９】
　また、別のケースとして、ＰＣ９はインターネットへのＩＰパケットの送受信機能のみを備えていて、アダプタ１０がＩＰＮｏ．を用いてＩＰ電話のコール及び通話時の音声変換とＩＰパケット化を行う場合である。
　尚、第２のシステムにおけるその他の構成及びその動作は、第１のシステムのものと同様である。
【００３０】
　また、アダプタ１０を用いた更に別のシステムについて図８を参照しながら説明する。図８は、本発明の実施の形態に係る携帯電話用アダプタを用いた別のシステムの構成ブロック図である。
　本発明の実施の形態に係る携帯電話用アダプタを用いた別のシステム（第３のシステム）は、図８に示すように、携帯電話機１と、インターネット３と、サーバ４と、ＩＰ電話機５と、携帯用基地局６と、公衆回線７と、電話機８と、パーソナルコンピュータ（ＰＣ）９′と、アダプタ１０とを有している。
【００３１】
　第３のシステムが第２のシステムと相違する部分は、アダプタ１０が無線でＰＣ９′に接続される点である。
　そして、第３のシステムにおいても、第２のシステムと同様に、アダプタ１０がＰＣ９′を経由してインターネット３に接続するものである。
　よって、ここで用いるＰＣ９′も、インターネット３に接続する機能を備えていることが必須条件となる。
【００３２】
　ここで、アダプタ１０とＰＣ９′との間の無線接続方法としては、アダプタ１０のＰＣ用インターフェース部とＰＣ９に装着された無線ＬＡＮカード（ＰＣカード、ＳＤ（Secure Digital）カード等）との間で無線接続する方法や、ブルートゥース（登録商標）接続、赤外線接続などの各種方法が考えられる。
　また、ＰＣ９′が複数台無線接続されているような環境においては、その中の１台がインターネット３に有線接続されていればよく、アダプタ１０は任意のＰＣ９′と接続して、他のＰＣ９′を経由してインターネット３に接続するような構成であっても良い。
　尚、第３のシステムにおけるその他の構成及びその動作は、第２のシステムのものと同様である。
【００３３】
　次に、第１〜第３のシステムの動作について図３〜図６を参照しながら説明する。図３は、アダプタ１０を用いた相手方へのコール／通話処理の流れを示すフローチャートであり、図４は、アダプタ１０の機能を内蔵した携帯電話装置における相手方へのコール／通話処理の流れを示すフローチャートであり、図５は、携帯電話機１でのユーザ登録の処理の流れを示すフローチャートであり、図６は、サーバ４でのユーザ登録の処理の流れを示すフローチャートである。
【００３４】
　本発明のシステムでは、アダプタ１０を購入したユーザが、事前にＩＰ電話システムを利用するためのユーザ登録処理を行い、ユーザ登録が完了してからＩＰ電話としての通話を行うことができるようになる。
【００３５】
　まず、携帯電話機１及びサーバ４でのユーザ登録処理を説明する。
　携帯電話機１のユーザ、言い換えるとアダプタ１０のユーザは、有償又は無償にてＩＰ電話として利用できるためのＩＰＮｏ．を取得するユーザ登録を行う必要がある。
　ユーザ登録の第１の方法は、アダプタ１０の購入時等に、購入店などでユーザ登録手続を行い、サーバ４から発番されたＩＰＮｏ．（ＩＰ番号）をアダプタ１０内に記憶させた状態でユーザがアダプタ１０を受け取る方法がある。
【００３６】
　また、ユーザ登録の第２の方法は、アダプタ１０の購入時にはユーザ登録手続を行わず、ユーザが、ユーザとなるための契約書に記載されたＵＲＬ、契約書番号を参考にしてサーバ４のウェブサイトにアクセスしてユーザ登録をオンラインで行う方法もある。
【００３７】
　ユーザ登録をオンラインで行う方法（第２の方法）の場合は、ユーザが携帯電話機１を用いてアダプタ１０を装着した状態で、ユーザ登録処理として、図５に示すように、インターネット３に接続するサーバ４のウェブサイトにＵＲＬを入力することでアクセスし（Ｓ２１）、更に携帯電話機１から契約書番号を入力し、アダプタ１０が保有する機器識別子を携帯電話機１が読み込んでサーバ４に送信する（Ｓ２２）。
　ここで、機器識別子をサーバ４に送信するには、サーバ４にアクセスした後に、機器識別子送信のためのプログラムを携帯電話機１がダウンロードし、それを実行する必要がある。
【００３８】
　すると、サーバ４では、契約書番号と機器識別子とから正規ユーザであることを確認すると、そのユーザに特有のＩＰＮｏ．が送信されるので、そのＩＰＮｏ．を受信し、内部メモリに記憶し（Ｓ２３）、更に受信したＩＰＮｏ．をアダプタ１０に出力してアダプタ１０内に記憶させる（Ｓ２４）。
【００３９】
　また、これに対してサーバ４では、ユーザ登録受付処理として、図６に示すように、携帯電話機１から機器識別子、契約書番号を受信する（Ｓ３１）と、サーバ４のデータベースに記憶されている契約書番号とそれに対応する機器識別子と当該受信した契約書番号及び機器識別子を比較し、両者が一致しているか否かを判定する（Ｓ３２）。一致していなければ（Ｎｏの場合）、ユーザ登録の処理を終了する。尚、携帯電話機１から送信される機器識別子及び契約書番号は、暗号化して送信するようにし、サーバ４で復号して機器識別子等の比較処理を行うようにすることが望ましい。
【００４０】
　処理Ｓ３２の判定処理で、受信した機器識別子等とデータベースに記憶された機器識別子とを比較し、一致していれば、（Ｙｅｓの場合）、ユーザ登録用の対応するＩＰＮｏ．を携帯電話機１に送信する（Ｓ３３）。
　このようにして、携帯電話機１は、ＩＰ電話として利用可能となるＩＰＮｏ．を取得する。
【００４１】
　次に、アダプタ１０における処理について図３を参照しなから説明する。
　アダプタ１０は、携帯電話機１に接続されると、アダプタ１０内の制御部が携帯電話機１の制御部より優先して動作し、携帯電話機１の入力部と表示部をアダプタ１０の入出力手段とする。
　また、携帯電話機１の音声入力部と音声出力部をアダプタ１０の音声入出力手段とする。
【００４２】
　そして、アダプタ１０は、携帯電話機１においてユーザ登録処理が行われると、携帯電話機１からの要求に応じて保持している機器識別子を携帯電話機１に出力する。そして、ユーザ登録の結果、サーバ４から携帯電話機１に送信されたＩＰＮｏ．を携帯電話機１から受け取り、自己の記憶部に記憶し、以降ＩＰ通話が可能になる。
【００４３】
　また、アダプタ１０は、携帯電話機１への装着の度に、携帯電話機１の内部メモリに記憶されているＩＰＮｏ．を読み込んで、自己の記憶部に記憶しているＩＰＮｏ．と照合し、一致した場合にＩＰ通話を可能とすることにより、携帯電話機１とアダプタ１との組み合わせについて、ＩＰ電話のユーザ登録を行った携帯電話機１との組み合わせに制限して利用可能とすることも可能である。
【００４４】
　また、携帯電話機１に記憶されているＩＰＮｏ．と自己の記憶部に記憶しているＩＰＮｏ．との照合を行わなければ、アダプタ１０及びそれに割り当てられたＩＰＮｏ．を複数の携帯電話機１で共用することもできる。例えば、１家庭に１台のＩＰ電話（ＩＰＮｏ．は１つ）という形式である。
【００４５】
　また別の方法として、ＩＰ電話のユーザ登録の際に、１台のアダプタ１０で複数のＩＰＮｏ．を取得できる形式にすることも可能である。その場合には、サーバ４から送信されたＩＰＮｏ．を携帯電話機１の内部メモリのみに記憶するようにして、アダプタ１０は、携帯電話機１への装着の度に、携帯電話機１に記憶されているＩＰＮｏ．を読み込んで、自己の記憶部に記憶し、以降ＩＰ通話が可能になるようにしてもよい。こうすることで、１台のアダプタで複数のＩＰＮｏ．に対応可能とすることができる。例えば、１家庭に１台のアダプタ１０とし、家族がそれぞれＩＰＮｏ．を持つという形式である。この場合、家族はアダプタ装着時にどのＩＰＮｏ．を利用するのか選択し、選択されたＩＰＮｏ．がアダプタ内の記憶部に記憶される。
【００４６】
　そして、ＩＰ通話の処理においてアダプタ１０は、通話相手が特定されると、図３に示すように、自己が無線ＬＡＮ又はＰＣ経由接続でインターネット３と接続可能か否かを判定し（Ｓ１）、接続可能であれば（Ｙｅｓの場合）、通話相手のＩＰＮｏ．に対応するＩＰアドレスがインターネット３に接続されているか確認する判定処理を行う（Ｓ２）。
　ここで、ＩＰＮｏ．とＩＰアドレスとの対応付けは、ＩＰプロトコルにおけるドメインネームシステムをサポートするサーバ（ドメインネームサーバ）等の機能により為される。また、通話相手のインターネット接続確認は、ＩＰプロトコルのける一般的な応答確認コマンド等によって行われる。
【００４７】
　通話相手がインターネット３に接続されていれば（Ｙｅｓの場合）、アダプタ１０は、相手のＩＰＮｏ．にコールして（Ｓ３）、ＩＰ電話による通話処理が為されて（Ｓ５）、処理を終了する。
　また、処理Ｓ２において通話相手がインターネット３に接続されていなければ（Ｎｏの場合）、ＩＰ通話は不可能と判断し、携帯電話機１に制御を移行して（Ｓ４）、携帯電話機の通話機能で相手方の電話Ｎｏ．を選択表示して、そのＮｏ．にコールして通話を行うようにする。
【００４８】
　尚、処理Ｓ４で携帯電話機１から相手先の電話Ｎｏ．にコールするためのプログラム制御は、通話相手のＩＰＮｏ．とその氏名をアダプタ１０内の記憶部に記憶しておき、処理Ｓ１，Ｓ２でＮｏとなった場合、通話相手のＩＰＮｏ．に対応する氏名を携帯電話機１に出力し、携帯電話機１における動作として、当該氏名を検索キーとして携帯電話機１のアドレス帳を検索して対応する電話Ｎｏ．を特定し、携帯電話機１の発呼機能によりコールするものである。
【００４９】
　尚、アダプタ１０が携帯電話機１に装着されている状態で、アダプタ１０における制御の元で例えばＩＰ電話と通話中であっても、携帯電話機の機能として着信があると、その着信を優先し、アダプタ１０における制御を一時中断して、携帯電話機に制御を切り替えて、携帯電話機における通話処理を実現するようになっている。
【００５０】
　また、携帯電話機１とアダプタ１０の機能を一体化した電話装置が考えられる。この電話装置について説明する。この一体型電話装置は、内部に無線ＬＡＮ装置を備え、外部インターフェース部がＰＣ９のＵＳＢポートに接続することが可能なものとなっている。
　この電話装置は、アドレス帳にて、通話相手の氏名、電話Ｎｏ．（携帯電話機番号、ＰＨＳ番号、一般電話機番号）、ＩＰＮｏ．等を対応付けて記憶しており、接続状況に応じて電話Ｎｏ．又はＩＰＮｏ．のいずれかでコールを行う。
【００５１】
　具体的には、上記電話装置は、図４に示すように、まず、ユーザ入力により、通話相手をアドレス帳から特定し（Ｓ１０）、次に自己が無線ＬＡＮ又はＰＣ９経由でインターネット３と接続可能であるか否かを判定し（Ｓ１１）、インターネットと接続可能であれば（Ｙｅｓの場合）、特定された通話相手のＩＰＮｏ．をアドレス帳から読み出し（Ｓ１２）、通話相手のＩＰＮｏ．に対応するＩＰアドレスがインターネット３に接続されているか否か確認し（Ｓ１４）、通話相手がインターネット３に接続されていれば（Ｙｅｓの場合）、読み出された相手ＩＰＮｏ．に無線ＬＡＮ又はＰＣ９経由でインターネット３を介してコールし（Ｓ１５）、コール処理後に、ＩＰ通話処理が為されて（Ｓ１７）、全体の処理を終了する。
【００５２】
　一方、処理Ｓ１１の判定結果で、自己がインターネットと接続可能でない場合（Ｎｏの場合）と、処理Ｓ１４の結果、通話相手がインターネット３に接続されていない場合（Ｎｏの場合）には、処理Ｓ１０で特定された通話相手の電話Ｎｏ．をアドレス帳から読み出し（Ｓ１３）、読み出された相手方の電話Ｎｏ．に携帯電話機の通話機能でコールし（Ｓ１６）、コール処理後に、携帯の通話処理が為されて（Ｓ１８）、全体の処理を終了する。
【００５３】
　電話装置が、ＩＰ電話と通話中、又は単にインターネットに接続されている状態で、携帯電話機の機能として着信があると、その着信を優先し、通話処理を実現するようになっている。
　尚、携帯電話機１とアダプタ１０の機能を一体化した電話装置の構成については、後述する。
【００５４】
　次に、携帯電話機１の構成例について、図９を参照しながら説明する。図９は、本発明の実施の形態に係る携帯電話機１の一構成例を示す構成概略図である。
　携帯電話機１は、図９に示すように、全体の制御を行う制御部２０と、キーパッド等の入力部２１と、液晶ディスプレイ等の表示部２２と、マイク等の音声入力部２３と、スピーカ等の音声出力部２４と、音声のアナログ／デジタル変換及び符号化／復号化を行う音声処理部２５と、携帯電話方式の無線送受信を行う無線送受信部２６及びアンテナ２７と、登録データなどを記憶する記憶部２８と、アダプタ１０と接続するためのアダプタインターフェース部２９とから構成されている。
【００５５】
　携帯電話機１の各部を説明するが、入力部２１〜アンテナ２７は、一般的な携帯電話機の構成であるので、詳細な説明を省略する。
　アダプタインターフェース部２９は、外部接続端子、例えば充電に使う差込口部分等に設けられ、アダプタ１０（又はアダプタ１０側端子形状が異なる場合はインターフェース変換用のコネクタ等の装置）が装着された場合に、アダプタ１０への電源供給及び各種データ（信号）の入出力を行う。
【００５６】
　記憶部２８は、自己の携帯電話番号（自携帯番号）２８ａと、自己のＩＰＮｏ．（自ＩＰＮｏ．）２８ｂを記憶すると共に、アドレス帳２８ｃとして相手氏名と対応する電話番号（携帯電話機の番号、ＰＨＳの番号、一般電話機の番号）等を複数記憶する。
　また、携帯電話機１内で動作させるプログラム２８ｄを記憶する。
【００５７】
　自己の携帯電話番号（自携帯番号）は、携帯電話機ユーザ登録時に発番された携帯電話機としての電話番号を記憶している。
　自己のＩＰＮｏ．（自ＩＰＮｏ．）２８ｂは、ユーザ登録時にサーバ４から送信されたものが記憶される。
　アドレス帳２８ｃのデータは、ユーザによって登録される一般的なアドレス帳データである。
　プログラム２８ｄは、一般的な携帯電話機の制御のためのプログラムに加えて、アダプタ１０を装着したときにＩＰ電話としての制御を行うためのプログラムとしてＩＰユーザ登録時にサーバ４から送信されたものを記憶する。
　尚、ＩＰ電話としての制御を行うためのプログラムに関しては、アダプタ１０に記憶させるようにして、装着時に携帯電話機にローディングするように構成すれば、記憶部２８に記憶する必要はない。
【００５８】
　制御部２０は、携帯電話機として一般的な処理であるところの携帯コール／通話手段２０ａに加えて、本発明のアダプタ１０を装着した場合にＩＰ電話として共用する為の処理であるところの共用処理手段２０ｃを備えることになる。
　また、携帯電話機１からオンラインでＩＰ電話のユーザ登録を行う場合には、インターネットを介してサーバ４にアクセスする必要があるため、携帯電話網を介してのインターネット接続手段２０ｂを備えている必要がある。ＩＰ電話のユーザ登録をアダプタ購入時に販売店等で行う場合には、インターネット接続手段２０ｂを備えていなくても構わない。
【００５９】
　ここで、携帯コール／通話手段２０ａ及びインターネット接続手段２０ｂは、携帯電話機における一般的な処理手段であるから詳しい説明を省略する。
　共用処理手段２０ｃは、アダプタ１０がアダプタインターフェース部２９に装着されると、アダプタ１０からプログラムがローディングされるか、又は記憶部２８からプログラムがローディングされて、実行されるものである。
　具体的な処理の内容例としては、アダプタ１０の装着を検知すると、アダプタ１０の装着を利用者に報知し、ユーザ操作によって、ＩＰ電話のユーザ登録の処理と、登録完了後のＩＰ電話利用のための処理を行う。また、ユーザ操作を促すことなく、ＩＰ電話のユーザ登録が完了しているか否かを記憶部２８の自ＩＰＮｏ．２８ｂの内容で確認し、完了していない場合にはユーザ登録処理が動作し、完了している場合にはＩＰ電話利用のための処理を行うようにしてもよい。
【００６０】
　ユーザ登録の処理は、図５に示した処理である。
　ＩＰ電話利用のための処理は、アダプタ１０の装着を検知すると無条件に、又はユーザ操作によって制御をアダプタ１０に移行し、携帯コール／通話手段２０ａで携帯電話による着信を検知した場合に、アダプタ１０に割り込みをかけ、制御を携帯電話機１に戻して、携帯コール／通話手段２０ａを実行させ、携帯電話機の通話が終了したなら、制御を再度アダプタ１０に移行する処理である。
　また、アダプタ１０装着時においても、ユーザ操作によって、制御を携帯電話機１に切り替えられるようにしても良い。
【００６１】
　次に、アダプタ１０の構成について、図７を参照しながら説明する。図７は、本発明の実施の形態に係るアダプタ１０の構成概略図である。
　アダプタ１０は、図７に示すように、全体の制御を行う制御部１１と、携帯電話機１と接続するための電話機用インターフェース部１２と、ＰＣ（パーソナルコンピュータ）９と接続するためのＰＣ用インターフェース部１３と、ＩＰＮｏ．等を記憶する記憶部１４と、無線ＬＡＮに接続するための無線ＬＡＮ装置１５と、音声変換手段１６とから構成されている。
【００６２】
　アダプタ１０の各部を具体的に説明する。
　電話機用インターフェース部１２は、携帯電話機１の外部接続端子に接続するものであり、携帯電話各社で外部接続端子の形状が異なるので、各社に対応したインターフェース部を用意する。若しくは、携帯電話機１とアダプタ１０との間に、インターフェース変換用のコネクタ等の装置を設けるようにしてもよい。
【００６３】
　ＰＣ用インターフェース部１３は、ケーブル等により当該インターフェース部とＰＣ９のＵＳＢポートを接続するものである。
　無線ＬＡＮ装置１５は、アダプタ１０を外部の無線ＬＡＮに接続させるための通信装置である。
【００６４】
　記憶部１４は、機器識別子１４ａと、自己のＩＰＮｏ．（自ＩＰＮｏ．）１４ｂを記憶すると共に、ＩＰ用アドレス帳１４ｃとして相手ＩＰＮｏ．と対応する氏名等を複数記憶する。また、アダプタ１０内で動作させるプログラム及び携帯電話機１内で動作させるプログラム１４ｄを記憶する。
【００６５】
　ここで、機器識別子１４ａは、機器固有の情報であり、予め記憶された状態で書き換えなど不可能な状態で保持されている。
　自己のＩＰＮｏ．（自ＩＰＮｏ．）１４ｂは、ユーザ登録時にサーバ４から送信され、携帯電話機の記憶部に記憶された自ＩＰＮｏ．が記憶される。
　ＩＰ用アドレス帳１４ｃのデータは、ユーザによって登録されるものであり、登録方法としては、携帯電話機１の入力部から入力された情報を記憶する方法と、外部ＰＣなどで作成された情報をＰＣインターフェース部１３経由で読み込み、記憶させる方法とがある。
　プログラム１４ｄは、予め記憶された状態で書き換えなど不可能な状態で保持されるようにしても良いし、ユーザ登録時にサーバ４から送信されたものを記憶するようにしても良い。
【００６６】
　音声変換手段１６は、アナログ音声信号とデジタル音声データとの変換処理を行うもので、ＩＰプロトコルの音声通信に適したアナログ／デジタル変換及び音声符号化／復号化が行われる。本発明では、この音声符号化／復号化技術に関しては、特に限定するものではない。尚、ＩＰ電話用の音声の符号化／復号化を携帯電話機１における符号化／復号化（音声処理部２５）と共用とするならば、音声変換手段１６は、不要になり、携帯電話機１とアダプタ１０との間では、デジタル音声データをやり取りするようにする。
【００６７】
　制御部１１は、携帯電話機１に装着することにより、携帯電話機１から電源供給を受けて動作し、記憶部１４に記憶されたプログラム１４ｄがローディングされて、処理が実行される。
　実行される処理としては、携帯電話機１主導で行われるユーザ登録の処理と、アダプタ１０主導で行われるＩＰ用アドレス登録の処理と、図３に示したＩＰコール／通話処理とを実行するものである。
　尚、制御部１１におけるユーザ登録の処理を行うのはユーザ登録対応処理手段１１ａであり、ＩＰ用アドレス登録の処理を行うのはＩＰ用アドレス登録処理手段１１ｂであり、ＩＰコール／通話の処理を行うのはＩＰコール／通話処理手段１１ｃである。
【００６８】
　具体的には、ユーザ登録の処理では、電話機用インターフェース部１２を介して携帯電話機１からの要求に応じて記憶部１４内の機器識別子１４ａを携帯電話機１に出力し、更に携帯電話機１から出力される自ＩＰＮｏ．を記憶部１４の自ＩＰＮｏ．１４ｂに記憶させる。
　また、制御部１１は、ＩＰ用アドレス登録の処理では電話機用インターフェース部１２を介して、携帯電話機１の入力部及び表示部を利用し、ＩＰ用アドレス登録の為の表示及び入力を行い、入力された相手ＩＰＮｏ．と氏名を対応付けて記憶部１４のＩＰ用アドレス帳１４ｃに記憶する。
【００６９】
　また、制御部１１は、ＩＰコール／通話処理として、発呼時には無線ＬＡＮ装置１５を介してインターネット接続可能であるのか否かを調べ、更に通話相手がインターネット３に接続しているか否かを確認する。
　また、制御部１１は、記憶部１４のＩＰ用アドレス帳１４ｃ内で通話相手を特定し、特定されたＩＰＮｏ．でコールする場合は、無線ＬＡＮ装置１５又はＰＣ用インターフェース部１３より、当該ＩＰＮｏ．を用いてＩＰ電話のコールを行う。相手がそのコールに対してオフフックするとＩＰ電話の通話処理が為される。
　そして、通話処理の過程で、通話音声は、音声変換部１６でアナログ音声信号とデジタル音声データとの変換が為され、また、ＩＰ通信の為のデータ処理（ＩＰパケット化など）は、制御部１１内で行われる。
【００７０】
　また、着呼時の処理としては、無線ＬＡＮ装置１５を介してインターネットに接続可能として、自己のＩＰ番号での着呼を待ち受け、着呼があると携帯電話機１に着呼を指示し、そのコールに対して携帯電話機１でオフフックされるとＩＰ電話の通話処理が為される。
【００７１】
　尚、ＩＰ通話に必要な構成は、携帯電話機１内の装置を用いるようにしている。
　具体的には、携帯電話機１の音声入力部２３から入力された音声が、アナログ音声信号としてアダプタインターフェース部２９及び電話機インターフェース部１２を介してアダプタ１０に入力され、音声変換手段１６でデジタル音声データに変換され、制御部１１内で音声符号化、ＩＰパケット化されて、無線ＬＡＮ装置１５から無線送信される。
　また、逆に無線ＬＡＮ装置１５で無線受信したＩＰパケット化された音声データは、制御部１１内で音声復号化され、音声変換手段１６でアナログ音声信号に変換されて、アダプタインターフェース部２９及び電話機インターフェース部１２を介して携帯電話機１に出力され、音声出力部２４から音声出力されるようになっている。
【００７２】
　尚、携帯電話機１とアダプタ１０との間の全体的な制御として、アダプタ１０が携帯電話機１に装着された状態では、優先的にアダプタ１０に制御が移行するが、携帯電話機１への着呼があると着信処理を優先するものである。
　よって、アダプタ１０内の制御部１１の全体的な制御動作として、図１０に示すように、アダプタ１０が携帯電話機１に装着され携帯電話機１から電源が供給されると、制御部１１（ＣＰＵ）が動作を開始し（Ｓ４２）、記憶部１４からプログラムがローディングされて制御動作を開始する（Ｓ４４）。図１０は、アダプタ１０の制御部１１における全体的な制御動作を示すフローチャート図である。
【００７３】
　そして、携帯電話機１からの着呼割込があるか監視を続け（Ｓ４６）、着呼割込があった場合（Ｙｅｓの場合）には、処理を中断して（Ｓ４８）、携帯電話機１の携帯コール／通話手段２０ａに制御を移行し（Ｓ５０）、携帯電話機１からの終了割込があるか監視を続け（Ｓ５１）、終了割込があった場合（Ｙｅｓの場合）には、処理を復帰して（Ｓ５２）、処理Ｓ４６に戻る。
　当該全体的な処理をアダプタ１０が脱着されるまで繰り返し行う。
【００７４】
　尚、上記説明した携帯電話機１とアダプタ１０では、それぞれにアドレス帳を保持し、相手先の氏名をキーとして検索して対応する電話番号又はＩＰ番号を特定していたが、大量の記憶容量を確保することができる携帯電話機１側のアドレス帳２８ｃにＩＰ番号まで含めて記憶し、アダプタ１０からＩＰ番号でコールする際に、携帯電話機１側のアドレス帳２８ｃからＩＰ番号を読み出すようにしても良い。
【００７５】
　次に、携帯電話機１とアダプタ１０の機能を一体化した電話装置の構成について、図１１を参照しながら説明する。図１１は、本発明の実施の形態に係る電話装置の一構成例を示す構成概略図である。尚、携帯電話機１とアダプタ１０の機能を一体化した電話装置は、基本的に図９に示した携帯電話機１の構成と図７に示したアダプタ１０の構成を一体化したものであるので、図７，図９と同様の構成部分には同様の符号を付けて説明している。
【００７６】
　本発明の電話装置は、図１１に示すように、図９と同様に携帯電話機の基本的な機能を実現する構成として、全体の制御を行う制御部２０′と、キーパッド等の入力部２１と、液晶ディスプレイ等の表示部２２と、マイク等の音声入力部２３と、スピーカ等の音声出力部２４と、音声のアナログ／デジタル変換及び符号化／復号化を行う音声処理部２５′と、携帯電話方式の無線送受信を行う無線送受信部２６及びアンテナ２７と、各種情報を記憶する記憶部２８′とから構成され、それに加えて、ＩＰ電話を実現するためのアダプタ側の構成として、ＰＣ（パーソナルコンピュータ）９と接続するためのＰＣ用インターフェース部１３と、無線ＬＡＮに接続するための無線ＬＡＮ装置１５とから構成されている。
【００７７】
　電話装置の各部を説明するが、図７，図９の構成との違いを中心に説明する。
　音声処理部２５′は、携帯電話機としての音声のアナログ／デジタル変換及び符号化／復号化と、ＩＰ電話としての音声のアナログ／デジタル変換及び符号化／復号化とを行うものである。
【００７８】
　記憶部２８′は、自己の携帯電話番号（自携帯番号）２８ａと、自己のＩＰＮｏ．（自ＩＰＮｏ．）２８ｂに加えて、アダプタとしての機器識別子１４ａを記憶する。
　また、アドレス帳２８ｃ′には、相手氏名と対応する電話番号（携帯電話機の番号、ＰＨＳの番号、一般電話機の番号）に加えて、ＩＰ番号を記憶する。
　また、プログラム２８ｄ′には、携帯電話機として動作するためのプログラムに加えて、アダプタとして動作するためのプログラムも記憶しておく。
【００７９】
　制御部２０′は、携帯電話機としての携帯コール／通話手段２０ａと、ＩＰ電話のユーザ登録を行う場合に必要なインターネット接続手段２０ｂに加えて、ＩＰ電話とし動作させるための共用処理手段２０ｃ′と、ＩＰコール／通話手段１１ｃを備えることになる。
【００８０】
　共用処理手段２０ｃ′は、ＩＰ電話のユーザ登録の処理として、概ね図５に示した処理を行うが、Ｓ２４のアダプタに出力する処理は不要となる。
　また、共用処理手段２０ｃ′の中で、図１０に示したように、ユーザ選択により、又は無条件にＩＰ電話としての制御を優先し、ＩＰコール／通話手段１１ｃを動作させるが、携帯コール／通話手段２０ａから着呼の割込があると、ＩＰコール／通話手段１１ｃの処理を中断して、終了の割込があるまで携帯コール／通話手段２０ａに制御を移行するようになっている。
【００８１】
　携帯電話機１にアダプタ１０を装着した場合、又は一体型の電話装置の場合に、アダプタの制御を優先させ、但し、携帯電話機で着信があると、無条件に携帯電話の通話制御に制御を移したが、例えば、携帯電話機で着信があった場合に、着信があった旨を音や表示等で利用者に報知し、利用者がアダプタの制御を中断する指示を入力すると、携帯電話の通話制御に制御を移すようにしても構わない。
【００８２】
　また、本発明のアダプタ１０を装着した携帯電話機１、又は一体型の電話装置の場合では、基本的に携帯電話機としてのコール／通話処理を行う部分と、ＩＰ電話としてのコール／通話処理を行う部分とが別であるため、２種類の電話システムで同時に着呼も可能であるから、お互いに通話中に別システムの着呼を受けた場合には、その旨を報知し、一方を保留させて他方の通話を行う（固定電話におけるキャッチホンのようなもの）機能を持たせても良い。
【００８３】
　本発明の実施の形態に係るアダプタ１０によれば、携帯電話機１に装着すると、インターネットに接続可能か判断し、接続可能であれば通話相手のＩＰＮｏ．がインターネットに接続されているか確認し、通話相手のＩＰＮｏ．がインターネットに接続されていれば、インターネットを介して当該ＩＰＮｏ．でコールし、そうでなければ携帯電話機からのコールを行うようにしているので、通話相手の電話機がＩＰ電話の状態ではＩＰＮｏ．でコールし、通話相手の電話機が携帯電話機等の電話機の状態では携帯電話機からのコールを行うことができ、携帯電話機とＩＰ電話機の双方の利便性を確保できる効果がある。
【００８４】
　また、本発明の実施の形態に係る電話装置は、インターネットに接続可能か判断し、接続可能であれば通話相手のＩＰＮｏ．がインターネットに接続されているか確認し、通話相手のＩＰＮｏ．がインターネットに接続されていれば、インターネットを介して当該ＩＰＮｏ．でコールし、そうでなければ携帯電話機の機能でコールを行うようにしているので、通話相手の電話機がＩＰ電話の状態ではＩＰＮｏ．でコールし、通話相手の電話機が携帯電話機等の電話機の状態では携帯電話機の機能でコールを行うことができ、携帯電話機の機能とＩＰ電話機の機能の双方の利便性を確保できる効果がある。
【産業上の利用可能性】
【００８５】
　本発明は、インターネットを利用したＩＰ電話機としての利便性を向上させた携帯電話用アダプタ及び電話装置に適している。
【図面の簡単な説明】
【００８６】
【図１】本発明の実施の形態に係る携帯電話用アダプタを用いたシステムの構成ブロック図である。
【図２】本発明の実施の形態に係る携帯電話用アダプタを用いた別のシステムの構成ブロック図である。
【図３】アダプタを用いた相手方へのコール／通話処理の流れを示すフローチャートである。
【図４】アダプタの機能を内蔵した携帯電話装置における相手方へのコール／通話処理の流れを示すフローチャートである。
【図５】携帯電話機でのユーザ登録の処理の流れを示すフローチャートである。
【図６】サーバでのユーザ登録の処理の流れを示すフローチャートである。
【図７】本発明の実施の形態に係るアダプタの構成概略図である。
【図８】本発明の実施の形態に係る携帯電話用アダプタを用いた別のシステムの構成ブロック図である。
【図９】本発明の実施の形態に係る携帯電話機の一構成例を示す構成概略図である。
【図１０】アダプタの制御部における全体的な制御動作を示すフローチャート図である。
【図１１】本発明の実施の形態に係る電話装置の一構成例を示す構成概略図である。
【符号の説明】
【００８７】
　１…携帯電話機、　２…ＩＰ用基地局、　３…インターネット、　４…サーバ、　５…ＩＰ電話機、　６…携帯用基地局、　７…公衆回線、　８…電話機、　９…ＰＣ、　９ａ…カード、　１０…アダプタ、　１１…制御部、　１２…電話機用インターフェース部、　１３…ＰＣ用インターフェース部、　１４…記憶部、　１５…無線ＬＡＮ装置、　１６…音声変換手段、　２０、２０′…制御部、　２１…入力部、　２２…表示部、　２３…音声入力部、　２４…音声出力部、　２５，２５′…音声処理部、　２６…無線送受信部、　２７…アンテナ、　２８、２８′…記憶部、　２９…アダプタインターフェース部
【図１】
2004135324.tif 000003
【図２】
2004135324.tif 000004
【図３】
2004135324.tif 000005
【図４】
2004135324.tif 000006
【図５】
2004135324.tif 000007
【図６】
2004135324.tif 000008
【図７】
2004135324.tif 000009
【図８】
2004135324.tif 000010
【図９】
2004135324.tif 000011
【図１０】
2004135324.tif 000012
【図１１】
2004135324.tif 000013